【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
封じ込めシステムのためのジオメンブレンライナーであって、
共に固定された重なり合う縁部を有する少なくとも第１および第２のライナーパネルであって、少なくとも前記第１のライナーパネルが、導電性の下面を有する、第１および第２のライナーパネルを備え、
前記第１のライナーパネルの縁部が、第１の線に沿って前記第２のライナーパネルの縁部の上に封着され、前記第１のライナーパネルが、前記第１の線全域で非導電性である、ジオメンブレンライナー。
【請求項２】
前記第１のライナーパネルの縁部が、前記第２のライナーパネルの縁部の上に前記第１の線から離間した第２の線に沿って封着され、前記第１のライナーパネルが前記第２の線全域で非導電性である、請求項１に記載のジオメンブレンライナー。
【請求項３】
前記ジオメンブレンパネルが、非導電部材の下面に一体の導電性媒体を有する非導電部材を備える、請求項１および２のいずれか１項に記載のジオメンブレンライナー。
【請求項４】
ライニングを施した封じ込めシステムであって、前記封じ込めシステムの少なくとも一部を覆う複数のライナーパネルを備え、および、請求項１〜３のいずれか１項に記載のジオメンブレンライナーを含む、封じ込めシステム。
【請求項５】
請求項１〜３のいずれか１項に記載のジオメンブレンライナーの漏水試験方法であって、前記ライナー全域で、その表面上の複数の点で電位を測定するステップを含む、請求項１〜３のいずれか１項に記載のジオメンブレンライナーの漏水試験方法。
【請求項６】
封じ込めシステムのためのジオメンブレンライナーであって、
共に固定された重なり合う縁部を有する少なくとも第１および第２のライナーパネルであって、少なくとも前記第１のライナーパネルが、導電性の下面を有する、第１および第２のライナーパネルを備え、
前記第１のライナーパネルの縁部が、第１の線に沿って前記第２のライナーパネルの縁部の上に熱溶着されており、前記第１のライナーパネルが、前記熱溶着された第１の線全域で非導電性である、ジオメンブレンライナー。
【手続補正２】
【補正対象書類名】明細書
【補正対象項目名】全文
【補正方法】変更
【補正の内容】
【発明の詳細な説明】
【発明の名称】漏水検知可能なジオメンブレンライナーならびに形成のための方法および装置
【技術分野】
【０００１】
関連出願の相互参照：
該当なし。
【０００２】
連邦政府支援研究または開発：
該当なし。
【０００３】
マイクロフィッシュ／著作権の参照：
該当なし。
【０００４】
本発明は、ジオメンブレンライナーに関し、より詳細には、その内部における漏水の検知を容易にするジオメンブレンライナーに関する。
【背景技術】
【０００５】
封じ込めシステム（例えば、池などの水塊を封じ込めるシステム）などのためのライニングシステムは、汚染物質と下の地面との間に「不透水性」バリアを提供するために使用される。一般に、このライナーは絶縁材料（高密度ポリエチレンなど）で作られ、これは、出荷時に欠陥がないよう徹底的に試験したとしても、輸送中および／または施工中、例えば、重機、裁断機、溶着機、動物、および破壊行為などにより破損することがあり、ライナーの施工後、最終的な漏水チェックを実施して、あらゆるそのような損傷から生じる漏水箇所を探すことを余儀なくされる。ライナーはまた、その耐用年数の間も含めて、土壌および／または液体で覆われた後、例えば、石、岩および／または地盤沈下のために、破損することもある。こうした漏水の検知は、有害物質が含まれている場合は特に、重要である。それは、直径１．０ミリメートルの穴が、１水柱フィート（２９８９Ｐａ）で１日当たり２〜３ガロン（７．６〜１１．３リットル）のオーダーの漏水を引き起こし得るためである。
【０００６】
従来、電気的な漏水箇所の特定が用いられており、これには、ジオメンブレンを挟んで電位をかけて、ジオメンブレンにおける漏水を介して電流が流れる異常な電位分布の点を特定することが含まれる。一般的に、電位をかけるには、電源を利用し、電源の正極をジオメンブレン上の水または土壌層中に沈め、負極を下の土壌層に接続する。漏水がある場合、漏水を介して電流が流れ、これにより高い電流密度が生じ、そしてジオメンブレン上の材料の電位分布には局所的な異常が生じる。漏水箇所におけるこうした異常信号領域を特定するためには、電気的測定を行う。ＡＳＴＭ  Ｄ７００２およびＤ７００７は、例えば、このような試験に関する詳細を含んでいる。このような測定は、ダイポールまたはポールの測定の構成を用いて、格子状パターン上の平行線に沿ってダイポールまたはポールの測定を用いて通常行われる１点ずつの測定により、行われている（ただし、様々な種類のデータ取得装置を使用できる）。
【０００７】
ライナーの漏水を電気的に検知するそのような方法の１つでは、例えば、電位はライナーを厚さ方向に挟んで誘起される。一方の極性の電位がシートの片側に誘起され、反対の極性の電位がシートの反対側に誘起された場合、シートを挟んで一方の側から他方の側にかけて導電性があるならば、結果として得られる電場は、漏水の存在を検知するために監視されている伝導に対する結果に影響を受ける。このような検知方法では、ライナーの上下両方に導電性媒体が必要になり、このことは、ライナーの上にある液体および土壌、ならびに導電性の下部土壌との良好な電気的接触によって提供され得る。
【０００８】
しかしながら、一部の施工では、上述の方法で漏水を電気的に検知することは、信頼性を欠くことがある。例えば、ライナーの地面との電気的接触が良好に保たれていない場合（例えば、二重のライナーまたはその他の絶縁材料の使用、地盤の不整形性、および／またはライナーのしわに起因して）、および／あるいはジオメンブレンの下の地面が乾燥、または非導電性もしくは高抵抗である場合（例えば、埋立地または採掘堆積浸出パッド、二次封じ込め、あるいは石炭灰封じ込めのため）、信頼できる電位測定値が得られないこともある。同様に、一部の埋立地では、ジオメンブレンを介して漏出物を検知現場に排水するために、ジオメンブレンの直下に砂、砂利またはジオシンセティック製品のいずれかによる漏水検知層が存在し、この層は、材料に導電性が無いことから漏水箇所特定調査を妨げる、あるいは無効にする。
【０００９】
ライナー下側の導電性が潜在的に不十分であることから生じるこの信頼性の欠如への１つの解決策が、特許文献１に提案されており、本特許は、ライナーを金属箔シートの上に配置すること、あるいは接着固定することを開示しており、ここで、箔が必要な下部の導電性を提供する。しかしながら、この技法は当業界で広く受け入れられていない。それは、そのような箔が高価であり、接着でも機械的にでも金属箔をライナーに固定することは、非常に難しく、また、露出した金属箔は建設現場で、例えば電界腐食の結果、著しく劣化するためである。
【００１０】
特許文献２（これにより、その全開示内容を参照により援用する）は、層の下部に導電性粒子を埋め込むことにより提供される導電層を有するライナーを開示することによって、箔シート案を著しく改良した。そして、シートを挟んで電場を確立し、プローブと下部の導電性プラスチック層との間のスパークを監視することによって、シートの完全性を監視する。このようなスパーク試験は、例えば、正極リードを真鍮ブラシに取り付け、負極リードをジオメンブレンの上に置かれた導電性ネオプレン接地パッドに取り付けた、高圧電源を含む試験装置で達成される。例えば、ＡＳＴＭ  ７２４０を参照されたい。
【００１１】
従来、特に継ぎ目のスパーク試験は、ＡＳＴＭ  Ｄ６３６５に詳述されるようになされてきた。ここでは、継ぎ目の疑わしい領域が電圧源から導電材料へのスパークで示されるように、導電材料を試験装置の負極端子に接続し、かつ、正の電圧を継ぎ目縁部全域にかけた状態で、継ぎ目の加工直前、または加工中に継ぎ目内に導電材料を挿入する。
【先行技術文献】
【特許文献】
【００１２】
【特許文献１】米国特許第３，２５２，１５５号明細書
【特許文献２】米国特許第５，２８８，１６８号明細書
【発明の概要】
【発明が解決しようとする課題】
【００１３】
特許文献２の発明は、試験パネルの漏水検知を著しく改良したが、ライニングを施した池の建設の際、ライナー施工の直後の試験では漏水がないとされたジオメンブレンパネルで（例えば、ライナーが所定の位置で土壌および／または水で覆われた時に貫入されることによって）漏水が生じることがあることを認識すべきである。さらに、こうしたライニングを施した設備は、一般に、継ぎ目に沿って合わせて熱溶着させた複数のジオメンブレンパネルを用いて建設されるため、個々のパネルの試験は、誤った測定値および異常な測定値がみられるパネルの継ぎ目では漏水を検知しない。またさらに、個々のライナーパネルの導電率は、しばしば、ライナーパネルの地面との電気的接触が良好に保たれていない場合（例えば、二重のライナーの使用、地盤の不整形性、および／またはライナーのしわに起因して）、および／あるいは地面が乾燥または非導電性である場合は特に、信頼性のある試験には依然として不十分である。
【課題を解決するための手段】
【００１４】
本発明の一実施態様では、封じ込めシステムのためのジオメンブレンライナーが提供され、共に固定された重なり合う縁部を有する少なくとも第１および第２のライナーパネルを含み、少なくとも第１のライナーパネルが、導電性の下面を有する。第１のライナーパネルの縁部は、第２のライナーパネルの縁部の上に第１の線に沿って封着され、第１のライナーパネルが、第１の線全域で非導電性である。
【００１５】
本発明のこの実施態様の一形態では、第１のライナーパネルの縁部は、第２のライナーパネルの縁部の上に第１の線から離間した第２の線に沿って封着され、第１のライナーパネルが、第２の線全域で非導電性である。
【００１６】
本発明のこの実施態様の別の形態では、ジオメンブレンパネルは、非導電部材の下面に一体の導電性媒体を有する、非導電部材を備える。
【００１７】
本発明のこの実施態様のまた別の形態では、ライニングを施した封じ込めシステムは、封じ込めシステムの少なくとも一部を覆う複数のライナーパネルを有し、また、本発明のこの実施態様によるジオメンブレンライナーを含む。
【００１８】
本発明のこの実施態様のさらに別の形態では、本発明のこの実施態様によるジオメンブレンライナーの漏水試験方法が、ライナーを挟んで、ライナー表面上の複数の点で電位を測定することを含む。
【００１９】
本発明の別の実施態様では、複数のジオメンブレンパネルを隣接する縁部に沿って共に封着する方法が提供され、パネルのうちの少なくとも第１番目のパネルが、封着されたパネルの漏水試験を行うための導電性の底面を有する。本方法は、（１）第２のパネルを表面上に置くことと、（２）第２のパネルの側面に隣接する線全域で第１のパネルの底面の導電性を破壊することと、（３）線に沿って第１のパネルの底面を加熱することと、（４）線に沿って第１および第２のパネルを共に押圧して、第２のパネルの上に第１のパネルの底部を封着することとを含む。
【００２０】
本発明のこの実施態様の一形態では、加熱するステップが、加熱された要素に対して第１のパネルの底部を線に沿って滑らせることを含み、加熱された要素は、第１のパネルの導電性の下面を遮る隆起した突出部を含む。
【００２１】
本発明のまた別の実施態様では、隣接するジオメンブレンライナーパネルの縁部を共に固定するために熱溶着装置が提供され、ジオメンブレンライナーパネルは、導電性の底面を有し、かつ、その縁部に沿って重ね合わされる。溶着装置は、水平に向けられた重ね合わせ用の第１および第２のスロットであって、両側面が開放され、かつ、本体後端部で１つに合流するスロットを有する、溶着装置本体と、溶着装置本体を前方に移動させる駆動装置とを含む。加熱装置は、第１および第２のスロットの間、かつ、第１および第２のスロットの合流部の前方に配置され、第１のスロットの底壁の一部を画定する。少なくとも１つの突出部は、パネルのうちの第１番目のパネルの導電性の底面を係合して、突出部を通る時に線に沿って導電性の底面を遮るために、第１のスロット内に部分的に延出し、合流したスロットは、スロット内でライナーパネルを押し付けて、導電性の底面の線に沿って第１および第２のライナーパネルを共に熱溶着する。
【００２２】
本発明のこの実施態様の一形態では、加熱装置は、第１および第２の横方向に離間した部分を有するウェッジであり、各部分が、上部スロットの底壁の一部および下部スロットの上壁の一部を画定している。壁画定部分は、それぞれが突出部のうちの１つを含んで、スロットの合流部に隣接するその後端部で先細に合わさる。合流したスロットは、パネルのうちの第１番目のパネルの導電性の底面において遮った部分に対応する実質的に平行な線に沿って、第１および第２のライナーパネルを共に熱溶着するように適合される。
【００２３】
本発明のこの実施態様の別の形態では、突出部は、先の尖った端部から本体後部に向けて長手方向に延在する。
【００２４】
本発明のまた別の実施態様では、熱溶着装置と共に使用するための加熱装置が提供され、熱溶着装置にそのライナースロットの間へ取り付け可能なウェッジを含み、ウェッジは、下部スロットの上壁および上部スロットの下壁の一部を画定し、画定された上壁および下壁は、加熱装置の合流したスロットに隣接する点へと先細に合わさる。少なくとも１つの突出部は、パネルの全体的な構造の一体性を依然として維持しながら、突出部の上で上部スロットを通過するライナーパネルの底部を分離する、または遮るのに十分なほど、上部スロットのウェッジで画定された下壁から延在する。
【００２５】
本発明のこの実施態様の一形態では、ウェッジ壁画定部分および突出部を加熱するための加熱要素が提供される。
【００２６】
本発明のさらに別の実施態様では、ライニングを施した封じ込めシステムが提供され、封じ込めシステムの少なくとも一部を覆う複数のライナーパネルを含む。各ライナーパネルは、導電性の下面を有するジオメンブレンであり、隣接するパネルは、継ぎ目によって共に固定された重なり合う縁部を有する。導電部材は、隣接するパネルの下に置かれ、両方の隣接するパネルの導電性の下面に接触して、隣接するパネルの導電性の下面の間に電気的接続を提供する。
【００２７】
本発明のこの実施態様の一形態では、導電層は、導電性の上面を有するジオメンブレンの一部分である。
【００２８】
本発明のこの実施態様の別の形態では、導電層は、導電性媒体のグリッドである。さらなる形態では、導電性媒体は、ワイヤを備える。別のさらなる形態では、導電性媒体は、導電性の上面を有するジオメンブレンの部分を備える。
【００２９】
本発明のその他の目的、特徴、および利点は、添付の特許請求の範囲および図面を含む、本明細書のすべてを読めば明らかになる。
【図面の簡単な説明】
【００３０】
【図１】本発明の一実施態様による加熱要素の斜視図である。
【図２】図１の加熱要素の側面図である。
【図３】従来技術の封じ込めシステムライナーの隣接するパネル間の継ぎ目を示す断面図である。
【図４】図１の加熱要素を有する、本発明による熱溶着装置の側面図である。
【図５】隣接するジオメンブレンパネルの溶着を示す、図４の熱溶着装置の上面図である。
【図６】本発明により形成された封じ込めシステムライナーの隣接するパネル間の継ぎ目を示す断面図である。
【図７】図１の加熱要素の斜視図である。
【図８】明確にするためにハウジングを切り欠いた、図４の熱溶着装置の斜視図である。
【図９】図８と同様の斜視図である。ただし、下側のライナーパネルが熱溶着装置内に供給される様子を示している。
【図１０】図８と同様の斜視図である。ただし、上下両方のライナーパネルが熱溶着装置内に供給される様子を示している。
【図１１】図８と同様の斜視図である。ただし、両方のライナーパネルが熱溶着装置内に供給され続け、パネルが溶着装置の後部に通り抜けて、本発明によりそこに形成された２つの継ぎ目を有している。
【図１２】本発明の別の実施態様により形成された封じ込めシステムライナーの隣接するパネル間の継ぎ目を示す断面図である。
【図１３】本発明により使用され得る熱溶着装置の部分斜視図である。熱溶着装置は溶着装置が閉じられている際にそれらの作動位置で破線で示される輪郭形成ローラー（ｃｏｎｔｏｕｒ  ｒｏｌｌｅｒ）とともに開放された構成で示されている。
【図１４】本発明により使用され得る熱溶着装置の全体斜視図である。熱溶着装置は溶着装置が閉じられている際にそれらの作動位置で破線で示される輪郭形成ローラー（ｃｏｎｔｏｕｒ  ｒｏｌｌｅｒ）とともに開放された構成で示されている。
【発明を実施するための形態】
【００３１】
熱溶着装置１０を図面に開示する。熱溶着装置は、例えば、本明細書で一般に封じ込めシステムと呼ぶ大型の封じ込め領域のためのライナー２０を形成するために使用されるジオメンブレンパネル１６、１８（一般に、プラスチックシートのロール）の間の継ぎ目１４を熱溶着するために本発明に従って使用され得る。
【００３２】
パネル１６、１８は、好適な一体の導電性の下面２５を有する好適な漏水防止非導電性材料で作られるジオメンブレンである。個々のパネル１６、１８の導電性の下面はまた、格子状パターンの一連の導電性ジオメンブレン、ワイヤ、またはその他の導電性媒体、あるいは個々のパネルを接続するのに好適なその他の材料と相互に接続されてもよい。さらに、本発明によれば、パネル１６、１８との間の形成された継ぎ目１４は、例えば水および／または土壌で覆われた後であっても多分適切に漏水について試験され、信頼性の高い漏水位置の調査の実行を可能にする。
【００３３】
特に、本発明の一実施態様によれば、継ぎ目１４は、従来のライナー継ぎ目の試験で見つかる異常を回避するように容易に形成され得る。具体的には、図３に示すように、従来技術のライナー２０’では、ジオメンブレンパネル１６’、１８’は、パネル１６’、１８’の２つの縁部を重ね合わせて、重なり合う縁部を継ぎ目１４’に沿って共に熱溶着することによって従来は接続されている。２つのこのような継ぎ目１４’が図示のように形成されて、重なり合う縁部の間における漏水を防ぐのを助けても、上側のパネル１６’の継ぎ目フラップ２６’の導電性の下面２５が、ライナー２０’の上から継ぎ目１４’を通って下にある地面２７と接触しているライナー２０’の底部（すなわち、図３の右側）に電流を伝えてしまう。こうした継ぎ目１４’を介した導電性のために、継ぎ目１４’沿いではライナー２０’の漏水を誤って特定してしまう。さらに、このような電流の流れを異常であるとして無視すること（または継ぎ目（複数可）１４’を通る漏水として示すこと）は、上側のパネル１６’の重なり合う縁部のフラップ２６’付近で下側のパネル１８’を通る実際の漏水を見過ごす事態を引き起こし得る。
【００３４】
本発明によれば、隣接するパネル間の継ぎ目（複数可）１４は、隣接するパネル１６、１８の重なり合う縁部の長さに沿って連続的に熱溶着させるのが有利であり得、上側のパネル１６の底部上の導電層２５が、熱溶着プロセスの間、継ぎ目（複数可）１４の平行な線に沿って遮られる（図６参照）。その結果、隣接するパネル１６、１８の間の継ぎ目（複数可）１４は、システムの上側と下側の間にライナー継ぎ目（複数可）を介して電流を通すことはなく、よって、継ぎ目（複数可）１４であっても信頼できる漏水試験測定値が得られ得る。
【００３５】
ここで、熱溶着装置１０ならびに継ぎ目１４の形成を説明する。
【００３６】
具体的には、本発明に関連して使用することが有利である熱溶着装置１０は、前端部および後端部４２、４４を有する本体４０を含む。図４からよく分かるように、本体４０は、前端部および後端部４２、４４の間に延在する上部および下部スロット５０、５２を画定しており、各スロット５０、５２は、略水平に向けられ、かつ、隣接するパネル１６、１８の重なり合う縁部を受けるように構成されている。
【００３７】
図４、図５および図１４から最もよく分かるように、装置（熱溶着装置）１０のスロット５０、５２はまた、本体４０の両側面が開放されており、その結果、溶着装置１０は、これもパネル１６、１８の重なり合う縁部と重なるように向けられ得る。装置は、装置がパネル１６、１８に対して移動し得るように、また好ましくは、熱溶着装置１０をパネル１６、１８に沿って矢印６６の方向に引くためのニップローラー６４（矢印６５で示されるように）によって駆動されるように、前輪および後輪６０、６２によって支持されることが好ましい。
【００３８】
装置のスロット５０、５２は、水平に延在するとして説明されていることもあるが、このように水平に向くことは、スロット５０、５２が前端部から後端部４２、４４まで概して延在するとともに、スロット５０、５２が装置１０の後端部４４で１つに合流する非平面の経路を提供することを指すことを理解されたい。
【００３９】
さらに、スロット５０、５２は、説明の簡単化のために、上壁および底壁を有するとして説明されていることもあるが、このような説明は、輪郭形成ローラーおよび／または部分的な壁などの案内部材７０を包含していることを理解されたい。そのため、本明細書で一般に説明される「スロット」は、座屈や折り曲げなくその略水平の向きを保ちつつ、パネル１６、１８の縁部を装置を通して移動させるあらゆる構造を包含する。
【００４０】
溶着装置１０は、スロット５０、５２の間、かつ装置後端部４４にあるスロット５０、５２の合流部の前方に加熱装置８０を含む。有利なことに、加熱装置８０は、上部スロット５０の底壁の一部および下部スロット５２の上壁の一部を画定しており、その後端部で先細に合わさる楔の形をしている。加熱部８０は、パネル１６、１８が装置後方端部４４でマージされた経路で一緒に押圧される際にそれらが熱溶着されるように、加熱部８０の上を通過するパネル１６、１８がそれらの面が十分に加熱されるように適切に加熱される。
【００４１】
図示のように、加熱装置８０は、２つの平行な継ぎ目１４を有する封着部を形成するための２つの離間した加熱部８２、８４を含むが、単一の熱溶着された継ぎ目、または必要であれば２つ以上の継ぎ目を提供することが本発明の範囲内であることを理解されたい。
【００４２】
さらに、本発明によれば、加熱装置８０の少なくとも１つの加熱部８２、８４はまた、下方から上部スロット５０内に部分的に延在する少なくとも１つの突出部またはフィン９０を含む。
【００４３】
フィン９０は、上側パネル１６の重なり合う縁部の底面２５上の薄い導電層がスロット５０を通過し、突出部９０を過ぎるように、導電層を溶融するのに好適な任意の形状であるのが有利であり得る。さらに、フィン９０は、図示のように先の尖った先端（前縁）を有して形成されるのが有利であり得るが、本発明の利点の少なくとも一部を依然として提供しながらも、形状およびサイズが変わることもある。
【００４４】
さらに、フィン９０は、加熱装置８０の一体の部分であり得る、あるいは、加熱装置８０の凹状ポケットにある挿入体９２上に提供され、例えば、皿ねじ９４によって取り外し可能に固定されるのが有利であり得る。またさらに、２つ以上の加熱部８２、８４を有する図示のような加熱装置８０では、突出部９０を両方加熱部８２、８４に設けて重複させることもできるが、本発明の利点の少なくとも一部は、加熱部８２、８４のうちの１つだけに設けた突出部９０により提供され得ることを認識されたい。
【００４５】
よって、２つの加熱されたパネル１６、１８は、ニップローラー６４により加熱装置８０の後方で押し付けられるため、ニップローラーのそれぞれが、パネル１６、１８に沿って熱溶着された継ぎ目１４を形成するために、２つのフィン９０とそれぞれ位置合わせされた２つの部分を有することを認識されたい。よって、溶着装置１０は、重なり合う隣接するパネル１６、１８の間に一対の平行な封着部１４を形成し、図６に示すように、どちらの継ぎ目１４を通る導電層も存在せず、これはすなわち、従来漏水試験の際に異常測定値および誤った測定値をもたらしてきたように、継ぎ目１４を挟んで電流が流れない（そのような継ぎ目１４を１つだけ形成することが本発明の範囲内であることもまた認識されたい）。
【００４６】
本発明のさらに別の実施形態は、ライナーが地球との良好な電気的接触状態に維持されないことがあり（例えば、二重ライナーの使用、地盤の不規則性、および／またはライナー内のしわに起因）、および／または地球が乾燥しているかまたは十分な導電性でない場合の用途で使用される際であっても複数のパネルで形成されたライナーの信頼性の高い漏水試験を可能にする。
【００４７】
具体的には、図１２に示すように、本発明のこの実施態様によれば、導電性の底面１２５を有する隣接するジオメンブレンライナーパネル１１６、１１８の下に導電部材１００が提供され得る。図１２に示すように、導電部材１００は、片側に導電面を有し、導電面１３０が上になるように上下を返して、ライナーパネル１１６、１１８の両方の導電性の底面１２５に接触するように置かれたジオメンブレンライナーパネルの反転部分である。
【００４８】
導電部材１００は、隣接するライナーパネル１１６、１１８の下でこの２つをまたいで連続的に延在して、これらを互いに電気的に接触させ得るが、部材１００はまた、隣接するパネル１１６、１１８を継ぎ目（複数可）に沿った離間した場所で導電接続する導電性ジオメンブレンの離間した短い部分または条片から構成され得ることを認識されたい。実際、個々のパネルが、ライナー１２０を画定する複数のパネルをまたいで単一の導電性の底面を事実上提供するのを可能にする限り、離間したワイヤのグリッドまたはライナーの下に敷かれるその他の導電媒体を含む、事実上あらゆる導電部材１００を使用できることを認識されたい。
【００４９】
図１２は、継ぎ目が本発明の第１の実施態様を組み込んだ状態（すなわち、上側ライナーパネル１６の導電性の底面２５を破壊した状態）の本発明のこの実施態様を示しているが、図３に示すような従来技術の継ぎ目であっても本発明のこの第２の実施態様の利点（すなわち、隣接するライナーパネルの底面の導電性相互接続）は提供され得ることを認識されたい。しかしながら、本発明の両方の実施態様の全利点は、図１２に示す構成によって提供され得る。
【００５０】
先述のように、漏水検知の感度は、ジオメンブレンの上下にある物質の導電率に依存する。さらに上述のように、標準的な漏水検知試験は、ジオメンブレンの上の電圧を伝えるために土壌中の水または水分を使用し得、標準的な試験は、接地源としてライナーの下の土壌中の水または水分を利用し得る。ジオメンブレンに穴がある場合、上にある物質に誘導された電圧は、穴を介してジオメンブレンの下にある接地源に伝わり、漏水検知のための電流を生じる。しかしながら、これもまた先述のように、ジオメンブレンの下にある物質が好適な接地源となるのに十分な（または一定の）水分を持たない場合、このような漏水箇所特定試験は、従来適切に行うことができなかった。
【００５１】
本発明のこの実施態様により形成されたライナー１２０では、最小限の数のパネル（すなわち、相互に接続されたパネルのうちのいずれか１つ）に直接接続することにより漏水調査を達成できる。電気的に相互接続されたジオメンブレンパネル（例えば、１１６、１１８）の導電性の底面１２５は、ライナー１２０の下に単一の接地源を提供して、ジオメンブレン表面全体にわたって漏水箇所特定調査を行うことができるようにする。導電層（底面１２５および導電部材１００）がジオメンブレンパネル１１６、１１８と常に密接に接触しているため、また、下層の導電率によらず導電率が一定であるため、導電層を利用すれば漏水調査をより効果的に行うことができる。
【００５２】
本発明による複数のパネル１６、１８で形成されるライナー２０の漏水検知は、ＡＳＴＭ  ７２４０によるスパーク試験を含む様々な漏水試験方法を用いて実施してもよいこともまた認識されたい。さらに、本発明により形成されるライナー２０の継ぎ目の漏水検知はまた、導電材料を封着部内（例えば、継ぎ目１４の間）に挿入し、継ぎ目１４の領域でスパーク試験を行うことで、ＡＳＴＭ  ６３６５によるスパーク試験により達成され得る。
【００５３】
上記のように、本発明の１つの観点によれば、封じ込めシステムのためのジオメンブレンライナーが、共に固定された重なり合う縁部を有する少なくとも第１および第２のライナーパネルであって、少なくとも第１のライナーパネルが、導電性の下面を有する、第１および第２のライナーパネルを備え、第１のライナーパネルの縁部が、第１の線に沿って第２のライナーパネルの縁部の上に封着され、第１のライナーパネルが、第１の線全域で非導電性である。
【００５４】
本発明の一具体例によれば、ジオメンブレンライナーにおいて、第１のライナーパネルの縁部が、第２のライナーパネルの縁部の上に第１の線から離間した第２の線に沿って封着され、第１のライナーパネルが第２の線全域で非導電性である。
【００５５】
本発明の一具体例によれば、ジオメンブレンライナーにおいて、ジオメンブレンパネルが、非導電部材の下面に一体の導電性媒体を有する非導電部材を備える。
【００５６】
本発明の一具体例によれば、ライニングを施した封じ込めシステムが、封じ込めシステムの少なくとも一部を覆う複数のライナーパネルを備え、および、上記ジオメンブレンライナーを含む。
【００５７】
本発明の一具体例によれば、上記ジオメンブレンライナーの漏水試験方法が、ライナー全域で、その表面上の複数の点で電位を測定するステップを含む。
【００５８】
本発明の別の観点によれば、複数のジオメンブレンパネルを隣接する縁部に沿って共に封着する方法において、パネルのうちの少なくとも第１番目のパネルが、封着されたパネルの漏水試験を行うための導電性の底面を有し、上記方法が、パネルのうちの第２番目のパネルを表面上に置くステップと、第２のパネルの側面に隣接する線全域で第１のパネルの底面の導電性を破壊するステップと、線に沿って第１のパネルの底面を加熱するステップと、線に沿って第１および第２のパネルを共に押圧して、第２のパネルの上に第１のパネルの底部を封着するステップとを含む。
【００５９】
本発明の一具体例によれば、上記方法の加熱するステップが、加熱された要素に対して第１のパネルの底部を線に沿って滑らせるステップを含み、加熱された要素が、第１のパネルの導電性の下面を遮る隆起した突出部を含む。
【００６０】
本発明の別の観点によれば、隣接するジオメンブレンライナーパネルの縁部を共に固定するための熱溶着装置において、ジオメンブレンライナーパネルが、導電性の底面を有し、および、パネルのうちの第１番目のパネルがパネルのうちの第２番目のパネルの上にある状態で、その縁部に沿って重ね合わされ、溶着装置が、前端部および後端部を有し、水平に向けられた第１および第２のスロットを画定する溶着装置本体であって、溶着装置本体の前部および後部の間に延在する上壁および底壁を有し、溶着装置本体において、第１のスロットが、パネルのうちの第１番目のパネルを受けるために片方の側面が開放されており、第２のスロットが、第１のスロットの下にあり、および、パネルのうちの第２番目のパネルの重なり合う縁部を受けるために片方の側面の反対側の側面が解放されており、第１および第２のスロットが本体後端部で合流する、溶着装置本体と、溶着装置本体を前方に移動させるための駆動装置と、第１および第２のスロットの間、および、第１および第２のスロットの合流部の前方にある加熱装置であって、第１のスロットの底壁の一部を画定する、加熱装置と、少なくとも１つの突出部であって、パネルのうちの第１番目のパネルの導電性の底面を係合する第１のスロットの中に部分的に延在し、突出部を通るように線に沿って導電性の底面を遮る、突出部とを備え、合流した第１および第２のスロットが、第１および第２のライナーパネルを押し付けて、導電性の底面の線に沿って第１および第２のライナーパネルを共に熱溶着する。
【００６１】
本発明の一具体例によれば、熱溶着装置において、加熱装置が、第１および第２の横方向に離間した部分を有するウェッジであり、各部分が、第１のスロットの底壁の一部および第２のスロットの上壁の一部を画定し、壁画定部分を、合流した第１および第２のスロットに隣接するその後端部で先細に合わせ、突出部のうちの１つを含み、合流したスロットが、パネルのうちの第１番目のパネルの導電性の底面において突出した遮る部分に対応する実質的に平行な線に沿って、第１および第２のライナーパネルを共に熱溶着するように適合される。
【００６２】
本発明の一具体例によれば、熱溶着装置において、突出部が、先の尖った端部から本体後部に向けて長手方向に延在する。
【００６３】
本発明の別の観点によれば、隣接するジオメンブレンライナーパネルの重なり合う縁部を共に固定するための熱溶着装置と共に使用するための加熱装置において、溶着装置が、隣接するパネルが熱溶着される合流したスロットに向けて隣接するライナーパネルの重なり合う縁部を案内する上部および下部スロットを含み、加熱装置が、熱溶着装置における第１および第２のスロットの間へ取り付け可能なウェッジであって、ウェッジが、下部スロットの上壁および上部スロットの下壁の一部を画定し、画定された上壁および下壁が合流したスロットに隣接する点へと先細に合わさる、ウェッジと、パネルの全体的な構造の一体性を依然として維持しながら、突出部の上で上部スロットを通過するライナーパネルの底部を遮るのに十分なほど、上部スロットのウェッジで画定された下壁から延在する少なくとも１つの突出部とを備える。
【００６４】
本発明の一具体例によれば、加熱装置が、ウェッジ壁画定部分および突出部を加熱するための加熱要素をさらに備える。
【００６５】
本発明の別の観点によれば、ライニングを施した封じ込めシステムが、封じ込めシステムの少なくとも一部を覆う複数のライナーパネルであって、各ライナーパネルが、継ぎ目で共に固定された重なり合う縁部を有する隣接するパネルと一体となっている、導電性の下面を有するジオメンブレンを備え、重なり合う縁部を有する隣接するパネルが、隣接するパネルの他方のパネルの上に置かれる一方のパネルを含み、他方のパネルが、継ぎ目全域で非導電性である一方のパネルの下面と一体となっている、ライナーパネルと、隣接するパネルの下に置かれる導電性部材であって、導電性部材は隣接するパネルの導電性の下面との間の電気的接続を導電層に提供するために両方の隣接するパネルの導電性の下面に接触する、導電性部材とを備える。
【００６６】
本発明の一具体例によれば、ライニングを施した封じ込めシステムにおいて、導電層が、導電性の上面を有するジオメンブレンの一部分を備える。
【００６７】
本発明の一具体例によれば、ライニングを施した封じ込めシステムにおいて、導電層が、導電性媒体の格子を備える。
【００６８】
本発明の一具体例によれば、ライニングを施した封じ込めシステムにおいて、導電性媒体が、ワイヤを備える。
【００６９】
本発明の一具体例によれば、ライニングを施した封じ込めシステムにおいて、導電性媒体が、導電性の上面を有するジオメンブレンの一部分を備える。
【００７０】
よって、本明細書に開示された本発明は、封じ込めシステムのライナーが漏水を検知するための電気的検査装置を用いて、より容易、経済的、かつ信頼性を備えて検査されるようにすることを認識されたい。ライナーの外にある導電性の自然環境との電気的な接触を良好に保たなくても、このような検査を実施することができる。さらに、本発明のその他の目的、特徴、および利点は、添付の特許請求の範囲および図面を含む、本明細書のすべてを読めば明らかになる。
【００７１】
本発明は、上述の特徴のいずれかまたはすべてを含んでもよいし、上記特徴のうちの１つのみ、上記特徴の２つ以上、および上記特徴のあらゆる組み合わせを含むのであってもよいことを認識されたい。さらに、上述の構造的要素のすべてに満たない組み合わせを含む、上述の構造的要素のすべてより少ない構造的要素を利用して、このような特徴が達成され得ることを認識されたい。